(57)【要約】【課題】  予め記録コンテンツを選択するための画面中で、現在カーソルが置かれている番組コンテンツの再生画面が選択されるので、本来視聴したい記録コンテンツを正しく選択して視聴することができる記録再生装置を提供する。【解決手段】  番組コンテンツと、この番組コンテンツのメタデータとを関連付けて記録媒体に記録する。再生する番組コンテンツを選択するときに、ディスプレイの画面に属性選択リスト５０１を表示する。この属性選択リスト５０１で選択された属性を有する番組コンテンツを前記記録媒体から抽出し番組選択リスト５０２として表示する。この番組選択リスト５０２に置かれたカーソルの番組コンテンツの動画像を動画ウィンドウ５００に重畳する。最終的に番組選択リスト５０２から選択された番組コンテンツをディスプレイの画面全体に再生する。【選択図】      図５
2007274561.tif 000002
【特許請求の範囲】
【請求項１】
番組コンテンツと、この番組コンテンツのメタデータとを関連付けて記録媒体に記録する記録手段と、
番組コンテンツと、この番組コンテンツのメタデータとを関連付けて記録している記録媒体から、前記番組コンテンツと前記メタデータとを読み出す読出手段と、
前記メタデータ中に含まれる所定の分類に属する属性を選択するための属性選択手段と、
前記メタデータ中に前記属性選択手段により選択された属性を持つ番組コンテンツを選択するための番組コンテンツ選択用リストを生成する番組コンテンツ選択用リスト生成手段と、
前記番組コンテンツの選択候補であることを示すためのカーソルを前記番組コンテンツ選択用リストに対応付けて表示するカーソル表示手段と、
前記カーソルが置かれた前記番組コンテンツを前記記録媒体から再生し、前記番組コンテンツ選択用リストと共に合成してディスプレイに表示する合成表示手段と、
ユーザにより前記カーソルが置かれた前記番組コンテンツが選択されると、この選択された番組コンテンツを前記ディスプレイに表示し、前記番組コンテンツ選択用リストを前記ディスプレイから消去する番組再生手段とを備えたことを特徴とする記録再生装置。
【請求項２】
更に、前記番組コンテンツ選択用リストを所定の属性で並べ替える並替手段を備えたことを特徴とする請求項１記載の記録再生装置。
【請求項３】
更に、前記番組コンテンツ選択用リストの番組コンテンツを連続再生する連続再生手段とを備えたことを特徴とする請求項１記載の記録再生装置。
【請求項４】
更に、前記番組コンテンツ選択用リスト生成手段が前記番組コンテンツ選択用リストを生成するときの前記属性を、前記所定の分類とは異なる分類へ変更するための分類変更手段を有することを特徴とする請求項１記載の記録再生装置。
【請求項５】
前記再生は、前記番組コンテンツの頭から再生をすることを特徴とする請求項１記載の記録再生装置。
【請求項６】
前記再生は、前記番組コンテンツの頭から飛び飛びの位置を再生することを特徴とする請求項１記載の記録再生装置。
【請求項７】
前記メタデータは、番組コンテンツに関する属性情報および番組記録時の記録や再生に関する属性情報の内、少なくともいずれか一方を含むことを特徴とする請求項１記載の記録再生装置。
【発明の詳細な説明】
【技術分野】
【０００１】
この発明は、記録再生装置に関し、特にコンテンツを再生するＧＵＩ画面を選択させることができる記録再生装置に関する。
【背景技術】
【０００２】
従来、番組ガイド表示画面上に置かれた、番組倍度表示画面上に表示する番組を制限するための表示フィルタ設定画面を設け、録画した番組をフィルタリングした中から選択して視聴することができる録画再生装置が知られている（例えば、特許文献１参照）。
【０００３】
また、従来のＧＵＩによるメニューからの記録コンテンツ選択時に、左右カーソルキーを押下操作するとメニューの階層の選択が行われ、上下カーソルキーを押下操作すると同一階層内の選択枝からの選択が行われる装置が知られている（例えば、特許文献２参照）。
【０００４】
しかし、このような記録したコンテンツを選択する場合、記録したコンテンツの番組名等から選択するため、場合によっては本来視聴したい記録コンテンツでないものを誤って選択してしまうという問題点があった。
【特許文献１】特開２００１−３１３８７８（段落番号［００６５］）
【特許文献２】特開平７−２８４０３６号公報（図３、図４、図５）
【発明の開示】
【発明が解決しようとする課題】
【０００５】
しかし、このような記録したコンテンツを選択する場合、記録したコンテンツの番組名等から選択するため、ユーザが番組名を正しく記憶していない場合など、本来視聴したい記録コンテンツでないものを誤って選択し視聴してしまうという問題点があった。
【０００６】
この発明は、本来視聴したい記録コンテンツを正しく選択して視聴することができる記録再生装置を提供することを目的とする。
【課題を解決するための手段】
【０００７】
上記の目的を達成するために、この発明においては、番組コンテンツと、この番組コンテンツのメタデータとを関連付けて記録媒体に記録する記録手段と、番組コンテンツと、この番組コンテンツのメタデータとを関連付けて記録している記録媒体から、前記番組コンテンツと前記メタデータとを読み出す読出手段と、前記メタデータ中に含まれる所定の分類に属する属性を選択するための属性選択手段と、前記メタデータ中に前記属性選択手段により選択された属性を持つ番組コンテンツを選択するための番組コンテンツ選択用リストを生成する番組コンテンツ選択用リスト生成手段と、前記番組コンテンツの選択候補であることを示すためのカーソルを前記番組コンテンツ選択用リストに対応付けて表示するカーソル表示手段と、前記カーソルが置かれた前記番組コンテンツを前記記録媒体から再生し、前記番組コンテンツ選択用リストと共に合成してディスプレイに表示する合成表示手段と、ユーザにより前記カーソルが置かれた前記番組コンテンツが選択されると、この選択された番組コンテンツを前記ディスプレイに表示し、前記番組コンテンツ選択用リストを前記ディスプレイから消去する番組再生手段とを備えたことを特徴とする記録再生装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、予め記録コンテンツを選択するための画面中で、現在カーソルが置かれている番組コンテンツの再生画面が選択されるので、本来視聴したい記録コンテンツを正しく選択して視聴することができる記録再生装置を提供することができる。
【発明を実施するための最良の形態】
【００１０】
以下、図面を参照しながら本発明の実施形態について説明する。
以下、本発明の実施形態では、記録再生装置として、記録媒体に番組を記録再生可能なデジタルテレビジョン放送受信装置を例として説明する。
（第１の実施形態）
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報（キーコード）を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００１８】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２１】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報をセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能と、（５）再生時に記録媒体に記録されているコンテンツを選択するための図５に示すようなＧＵＩ画面を生成するための機能を有する。
【００３６】
なお、このＧＵＩ画面についてはＯＳＤ（On Screen Display）信号生成部２５７に生成させるようにして実現してもよい。
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
例えば、制御部２６１は、放送やネット経由で受信したコンテンツ（番組）をｉ．ＬＩＮＫ端子１２４に接続されたＡＶ−ＨＤＤ１４１やＤ（Digital）−ＶＨＳ（Video Home System）１４２等へ記録する。そして再生時にはこの記録されたコンテンツ（番組）を読み出し、図５に示すような再生用のコンテンツを選択するためのＧＵＩ画面を生成する。
【００４８】
ところで、この実施形態では、ＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバー１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００５１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００５２】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
以下、このように構成されたデジタルテレビジョン放送受信装置１１１について、ｉ．ＬＩＮＫ端子１２４に接続されたＡＶ−ＨＤＤ１４１やＤ（Digital）−ＶＨＳ（Video Home System）１４２等に記録されたコンテンツ（番組）を選択するときのデジタルテレビジョン放送受信装置の動作について図３に示すフローチャートを用いて詳細に説明する。
【００５４】
（記録時の動作）
図３は、デジタルテレビジョン放送受信装置１１１がコンテンツ（番組）を記録するときの動作を説明するためのフローチャートである。
ステップＳ３０１：デジタルテレビジョン放送受信装置１１１は、事前登録した録画予約或いはユーザによるリモートコントローラ１１７の操作に基づき、記録しようとする番組のコンテンツ（番組の映像信号および音声信号。以下、番組コンテンツと記す）を取得する。
【００５５】
ステップＳ３０２：デジタルテレビジョン放送受信装置１１１は、このステップＳ３０１で取得した番組コンテンツと、この番組コンテンツのメタデータを取得する。
【００５６】
このメタデータとしては、番組コンテンツに関連する番組関連情報と、番組記録時の記録に関する属性情報とから構成されている。
番組コンテンツに関連する番組関連情報としては、番組名、ジャンル、放送局名、放送日時等の情報であり、データ放送やインターネット経由でＴＶ番組情報サイトから取得する。
【００５７】
番組記録時の記録に関する属性情報としては、録画予約品質（例えば、ビデオや音声のビットレート等）、番組を記録した記録者の情報（誰が記録したのかを示す情報）、番組コンテンツを記録した曜日情報、連続ドラマを毎週録画予約している場合にはこの録画予約情報などの番組記録時の記録に関する情報である。
【００５８】
この実施形態ではメタデータとして、番組コンテンツに関連する番組関連情報として、番組名、ジャンル、放送局名、放送日時を、番組記録時の記録に関する属性情報として録画品質（例えば、ビデオや音声のビットレート等）を含むものとして説明する。なお、番組関連情報としては番組名、ジャンル、放送局名、放送日時に限定するものではなく、番組記録時の記録に関する属性情報としては録画品質に限定するものではない。
【００５９】
ステップＳ３０３：デジタルテレビジョン放送受信装置１１１は、ステップＳ３０１で取得したメタデータ（番組コンテンツに関する番組関連情報、番組記録時の記録や再生に関する属性情報）と、ステップＳ３０２で取得したメタデータとを対応付けて例えばＡＶ−ＨＤＤ１４１へ記録する。
【００６０】
（再生時の動作）
以下、デジタルテレビジョン放送受信装置１１１がコンテンツ（番組）を再生するときの動作について図４および図５（ａ）を用いて詳細に説明する。
この例では、メタデータ中に含まれる番組のジャンル情報を属性として用いた例で説明する。
図４は、デジタルテレビジョン放送受信装置１１１がＡＶ−ＨＤＤ１４１等の記録媒体に記録された番組コンテンツを再生しようとするときに、どの番組コンテンツを再生するかを選択するときの流れを示すフローチャートである。また、図５（ａ）は、どの番組コンテンツを再生するかを選択するときのＧＵＩ画面の例を示す図である。
【００６１】
ステップＳ４０１：リモートコントローラ１１７は、ユーザによるリモートコントローラ１１７の操作に基づいて録画リストを表示するための操作情報（キーコード）を受光部１１８へ送信する。
【００６２】
ステップＳ４０２：受光部１１８は、ステップＳ４０１でリモートコントローラ１１７から送信された、録画リスト表示の操作情報（キーコード）を受信し、制御部２６１へ伝える。
【００６３】
ステップＳ４０３：制御部２６１は、例えばＡＶ−ＨＤＤ１４１から、ＡＶ−ＨＤＤ１４１に番組コンテンツ（番組の映像信号および音声信号）と対応付けて記録されているメタデータを取得してグラフィック処理部２５４へ渡すと共に、図５（ａ）に示すような録画リストの表示をグラフィック処理部２５４へ指示する。なお、図５（ａ）に示すように画面左下の動画ウィンドウ５００に動画を表示するために、図５（ａ）に示すように画面右側に配置された番組リスト中選択されている番組コンテンツ（番組の映像信号および音声信号）についてもＡＶ−ＨＤＤ１４１から取得して信号処理部２４７へ出力しデコードさせる。先にも述べたがグラフィック処理部２５４は、記録媒体に記録されているコンテンツを選択するための図５（ａ）等に示すようなＧＵＩ画面を生成するための機能を有している。
【００６４】
ステップＳ４０４：制御部２６１は、例えば図５（ａ）に示すようなジャンル別の録画リストを表示させる場合には、ＡＶ−ＨＤＤ１４１からメタデータを取得し、このメタデータに含まれているジャンル情報を用いて、図５（ａ）上側に示すように水平方向（横軸）にバラエティ、ドラマ、スポーツなどジャンルの並びである属性選択リスト５０１を構成させる。
【００６５】
なお、属性選択リスト５０１としては、必ず複数の属性をリストとして表示しなければならないというものではない。例えば１の属性しか画面には表示されないが、これを順次切り換えていくようにして属性を選択するようなものであってもよい。
【００６６】
リモートコントローラ１１７には、カーソルを上下左右方向へ動かすための左右上下キー（上キー、下キー、左キー、右キー）（またはジョイスティック）が設けられており、左キーおよび右キーにより属性選択リスト５０１に置かれているカーソルを左または右方向へ動かすことができる。
【００６７】
ステップＳ４０５：制御部２６１は、ＡＶ−ＨＤＤ１４１に記録されている番組コンテンツに関するメタデータから、属性選択リスト５０１中カーソル（太枠部）により選択されているジャンル（図５（ａ）に示す例ではジャンル名“ドラマ”）の番組コンテンツ（番組の映像信号および音声信号）を抽出し、図５（ａ）右下に示すように番組コンテンツ（番組の映像信号および音声信号）を選択するための番組選択リスト５０２を構成させる。例えば番組選択リスト５０２のリスト化にあたっては、一旦該当するジャンルの番組コンテンツを一旦全て抽出した後で例えば放送日付順で並び替えてから表示する。
【００６８】
なお、番組選択リスト５０２としては、必ず複数の番組コンテンツをリストとして表示しなければならないというものではない。例えば１の番組コンテンツしか画面には表示されないが、これを順次切り換えていくようにして番組コンテンツを選択するようなものであってもよい。
【００６９】
この並べ替えは、ユーザにより任意の並び替え順に変更することができる。ユーザは並び替えの属性を変えようとするとき、リモートコントローラ１１７の“並び替え順変更”キーを押下することにより図５（ｂ）に示す並び替え順変更ウィンドウ５０３のＧＵＩ画面を表示する。図５（ｂ）に示す並び替え順変更ウィンドウは、「動画再生をした頻度順」、「放送日付順」など規則を選択するためのリストから構成されており、ユーザに選択された属性によりソートする。図５（ｂ）に示す例では並び替え順変更ウィンドウ５０３の「放送日付順」にカーソルが置かれており、ここでリモートコントローラ１１７の決定キーを押下することにより番組選択リスト５０２は「放送日付順」にソートされることとなる。
【００７０】
このようにジャンルの他、更に放送日付順で並び替えてから表示しているので、ユーザは更に選択し易いという効果がある。
番組選択リスト５０２を構成する１つ１つの番組コンテンツに関連する番組関連情報は、例えば“番組名”、“録画日”が記されたカーソル移動可能な操作ボタン等の象徴物からなり、図５（ａ）右下に示すように垂直方向（縦軸）に並べられ構成されている。
【００７１】
リモートコントローラ１１７に設けられている上キーまたは下キーにより、番組選択リスト５０２に置かれているカーソルを上または下方向へ動かすことができ、再生する番組コンテンツを選択することができる。
【００７２】
この結果、ユーザはメタデータ中の任意の属性に絞ったコンテンツの中から、再生する番組コンテンツを選択することができる。
この図５（ａ）の例では、“白鳥の闘い  第５話  最後の・・・”にカーソルがある。
このような描画のための情報は制御部２６１からグラフィック処理部２５４へ渡され、実際の描画処理や多重処理についてはグラフィック処理部２５４で行われる。
ステップＳ４０６：制御部２６１は、ステップＳ４０５でカーソルの置かれている番組コンテンツ（番組の映像信号および音声信号）をＡＶ−ＨＤＤ１４１から取得し、信号処理部２４７へ出力する。
【００７３】
ステップＳ４０７：信号処理部２４７は、ステップＳ４０５でカーソルの置かれている番組コンテンツ（番組の映像信号および音声信号）をデコードし、図５（ａ）左下に示すように動画として動画ウィンドウ５００中に重畳して表示させる。
【００７４】
この動画については、例えば番組コンテンツの頭からするようにしてもよいし、或いは記録されている位置を飛び飛びに再生してもよい。例えば飛び飛びに再生する方法としては、番組コンテンツの頭から１０秒再生し、次に番組コンテンツの頭から５分後へジャンプしそこから１０秒再生する。この１０秒再生しては５分ジャンプしてを繰り返すようにすることにより、番組の全体像を把握することができる。この例では５分後へジャンプするとしたが、例えば番組コンテンツ全体の１０％の位置とするようにしてもよい。この場合、番組コンテンツ全体の長さから、１／１０の位置を演算により求めてジャンプするようにする。
【００７５】
このようにして図５（ａ）のＧＵＩ画像全体は生成される。
ステップＳ４０８：信号処理部２４７は、リモートコントローラ１１７の決定ボタンが押下されると、次回選択するときに初期カーソル位置とするため、ラスト値（最後に選択していたジャンル名、コンテンツ情報名）をメモリなどに記憶させる。
【００７６】
ステップＳ４０９：信号処理部２４７は、ステップＳ４０５でリモートコントローラ１１７の決定ボタンが押下された番組コンテンツ（番組の映像信号および音声信号）を画面一杯に再生するように各部を制御し、一連の選択処理が終了して番組コンテンツの再生が始まる。
【００７７】
以下、図５（ａ）のＧＵＩ画面を詳細に説明する。
この例では、動画と録画済み番組名を含むＧＵＩの画面（選択のためのリスト）を、図５（ａ）に示すように左右隣り合わせて表示するという点である。図５（ａ）では、ＧＵＩ画面の上側に再生時の再生選択候補を絞るための属性選択リスト５０１が並べられている。ここでは、属性選択リスト５０１として“映画”、“バラエティ”、“ドラマ”、“スポーツ”、“ニュース”という５つのジャンルが並べられており、図５（ａ）のＧＵＩ画面では“ドラマ”が太線で囲まれているので、ここにカーソルが置かれていることが分かる。ユーザによるリモートコントローラ１１７の左キーまたは右キーを押下することによりこの水平方向に並べられている属性選択リスト５０１の中でカーソルを移動させることができる。
【００７８】
図５（ａ）のＧＵＩ画面の右側には、録画済の番組コンテンツの内、上記属性（ジャンル）により絞り込まれた番組コンテンツリストである番組選択リスト５０２を表示する。図５（ａ）のＧＵＩ画面では番組選択リスト５０２の中のドラマ“白鳥の闘い  第５話  最後の・・・”が太線で囲まれているので、ここの番組にカーソルが置かれていることが分かる。ユーザによるリモートコントローラ１１７の上キーまたは下キーを押下することによりこの垂直方向に並べられている番組選択リスト５０２の中でカーソルを移動させることができる。
【００７９】
なお、この例では番組コンテンツに関連する番組関連情報（番組名、ジャンル、放送局名、放送日時等）の内、メタデータとして番組コンテンツに関連する番組関連情報を用い、番組関連情報の中に含まれているジャンルの情報を用いて再生候補の番組コンテンツを絞ってジャンル別に表示するようにしたが、本発明はこれに限らず、例えば番組名、放送局名、放送日時放送局名等に置き換え、これらを用いて再生候補の番組コンテンツを絞ってＧＵＩ画面右下に選択候補リストを表示するようにしてもよい。
【００８０】
図５（ａ）のＧＵＩ画面の左下側ある動画ウィンドウ５００に、ＧＵＩ画面の右下側のリスト中カーソルが置かれて選択状態にある番組コンテンツの動画像を再生表示する。
【００８１】
なお、この例では図５（ａ）に示す配置としたが本発明はこれに限定されず、録画済み番組名を含む表（選択のためのリスト）と動画ウィンドウ５００とを左右ではなく上下隣り合わせて表示してもよいし、上位概念では上下に限らず同じ同一画面内に表示していればよいものである。
【００８２】
このように動画ウィンドウ５００に表示される動画を録画番組一覧のカーソル位置と対応した動画とすることにより、ユーザはカーソルの置かれている番組コンテンツ（番組の映像信号および音声信号）をＧＵＩ画像中で予め視聴することができ、視聴しようとしていた所望のコンテンツを正確に選択して再生視聴することができるという効果を得ることができる。
【００８３】
なお、属性選択リスト５０１および番組選択リスト５０２については、そのＩＤの大きい順、或いは小さい順、動画再生をした頻度順、日付順など規則を持たせ並び替えるようにする。例えば、図５（ａ）の番組選択リスト５０２は、放送日付順で並び替えてから生成されている。このようにすることにより番組選択リスト５０２は放送日付順で並び替えられるので、ユーザは更に選択し易いという効果がある。
【００８４】
なお、番組コンテンツ（番組の映像信号および音声信号）を１台のＡＶ−ＨＤＤ１４１から取得したが、更に他の記録媒体からも番組コンテンツを取得し番組選択リスト５０２を表示するようにしてもよい。
【００８５】
（属性選択リストの変更）
上記ステップＳ４０４では、水平方向（横軸）にバラエティ、ドラマ、スポーツなどジャンルの並びである属性選択リスト５０１を構成させた。これに代え、他のメタデータの種別（分類）に応じた選択リストを表示するようにしても良い。
【００８６】
例えば、図６（ａ）ではジャンル表示されているが、リモートコントローラ１１７の所定のキー（例えば、“録画リストの表示形式変更ウィンドウ表示”キー）を押下すると、制御部２６１の指示により録画リストの表示形式変更ウィンドウ６０１が表示される。この録画リストの表示形式変更ウィンドウ６０１中の“チャンネル別”にカーソルがあるところでリモートコントローラ１１７の決定キーを押下すると、図６（ｂ）に示すようにチャンネル別の属性選択リスト５０１が表示される。図６（ｂ）に示す例では、切り換え対象は“チャンネル別”“ジャンル別”、“曜日別”、“連続ドラマ別”、“すべての番組”の中から分類を選択切替えすることができる。
【００８７】
録画リストの属性リストをどの分類とするかを選択できるようにしたので、分類に応じた種々の属性を有する録画リストを提示できる。
（番組コンテンツの連続再生）
また、リモートコントローラ１１７に連続再生キーを持たせておき、図５（ａ）の画面からこの連続再生キーが押下されると、番組選択リスト５０２の番組コンテンツを連続再生する。これにより番組を指定する操作を一度行うだけで、同じ属性（ジャンル）の番組コンテンツを連続して視聴することができる。
【００８８】
なお、番組選択リスト５０２を用いた同一属性内である番組コンテンツの連続動画再生としたが、必ずしも番組選択リスト５０２からの連続再生に限らず、所定のタイミングで連続再生キーを押下することで、所定の属性内の番組コンテンツを連続再生するようにしてもよい。
【００８９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９０】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】デジタルテレビジョン放送受信装置の記録時の動作を説明するためのフローチャート。
【図４】デジタルテレビジョン放送受信装置の再生時の動作を説明するためのフローチャート。
【図５】デジタルテレビジョン放送受信装置の番組コンテンツを再生するときのＧＵＩ画面の例を示す図である。
【図６】デジタルテレビジョン放送受信装置の番組コンテンツを再生するときのＧＵＩ画面の例を示す図である。
【符号の説明】
【００９１】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007274561.tif 000003
【図２】
2007274561.tif 000004
【図３】
2007274561.tif 000005
【図４】
2007274561.tif 000006
【図５】
2007274561.tif 000007
【図６】
2007274561.tif 000008